(57)【要約】      （修正有）【課題】把持力を確実なものとしつつ、緩曲面部材に引っ掛けた部分に痕が残ってしまうのを防止するハンガーを提供する。【解決手段】水平に保持される棒状の掛止桟５と、上部のフック部７，７により懸架されるとともに、掛止桟５の両端を一対のフック部７，７を介して保持するハンガー本体１と、掛止桟５によって掛止桟５の上方に、掛止桟５の軸方向と平行となるように支持され、掛けられた衣類の幅に相当する長さを有するローラー部材９と、一対のフック部７，７によってローラー部材９の上方において軸方向と平行になるように支持されるとともに、弾性体の復元力によってローラー部材９の上面に押圧される把持部材８とを備え、ローラー部材９の軸方向と直交する断面における水平方向の外径は、掛止桟５の同水平方向の外径よりも大きく、ローラー部材９の表面の曲率は掛止桟５の曲率よりも大きくなっている。【選択図】図１
0003206796.tif 000002
【実用新案登録請求の範囲】
【請求項１】
衣類が掛けられて吊り下げられるハンガーであって、
掛けられた前記衣類を下方から支持するために水平に保持される棒状のロッド部と、
上部のフック部により懸架されるとともに、前記ロッド部の両端を一対の支持部材を介して保持するハンガー本体と、
前記ロッド部によって前記ロッド部の上方に、前記ロッド部の軸方向と平行となるように支持され、掛けられた前記衣類の幅に相当する長さを有する緩曲面部材と、
前記一対の支持部材によって前記緩曲面部材の上方において前記軸方向と平行になるように支持されるとともに、弾性体の復元力によって前記緩曲面部材の上面に押圧される把持部材と
を備え、
前記緩曲面部材の前記軸方向と直交する断面における水平方向の外径は、前記ロッド部の同水平方向の外径よりも大きく、前記緩曲面部材の表面の曲率は前記ロッド部の曲率よりも大きい
ことを特徴とするハンガー。
【請求項２】
前記緩曲面部材は、前記ロッド部の上方を覆う断面円弧状をなし、前記ロッド部に対して着脱可能とする着脱機構を備えていることを特徴とする請求項１に記載のハンガー。
【請求項３】
前記ロッド部によって回転自在に軸支される筒状部材を備え、
前記緩曲面部材は、前記筒状部材の外曲面であることを特徴とする請求項１に記載のハンガー。
【請求項４】
前記筒状部材は、外周面に前記ロッド部が挿通されるスリットが形成され、当該スリットに対して前記ロッド部を挿通させることにより、前記ロッド部から取り外し可能となっていることを特徴とする請求項３に記載のハンガー。
【請求項５】
前記把持部材は前記軸方向に沿って弓状に湾曲されたバネ部材であり、
前記バネ部材の下面は、前記緩曲面部材の上面形状の合致する形状をなしている
ことを特徴とする請求項１乃至３に記載のハンガー。
【考案の詳細な説明】
【技術分野】
【０００１】
本考案は、上着やズボン、スカートなどの衣類が掛けられて吊り下げられるハンガーに関する。
【背景技術】
【０００２】
従来、着やズボン、スカートなどの衣類が掛けられて吊り下げられるハンガーには、ハンガー主体の下方に沿って横に連結され、折畳み状にしたズボンとかスカートを二つ折りに掛けて吊り下げるようにした衣服用ハンガーの掛止桟が設けられている。この掛止桟としては、例えば特許文献１に開示されたものがある。
【０００３】
この特許文献１に開示されたハンガーでは、掛止桟の両側のフック部に左右一対の嵌め込み孔を設け、この嵌め込み孔に、押さえバネ材の両端部に突設した嵌め込み軸部を差し込んで、それによって湾曲させた押さえバネ材を掛止桟に対して取り付けるようにしている。この押さえバネ材は湾曲による弾性力によって掛止桟に対して押さえつけられ、掛止桟と押さえバネ材とによって衣類を挟み込んで把持し、掛けた衣類がずり落ちないようにしている。この特許文献１に開示されたハンガーによれば、ハンガー主体の下方に横に吊り下げられた掛止桟に対する押さえバネ材の取り付けが容易となるとともに、簡単な構造で押さえバネ材の湾曲姿勢の安定性を保持することができる。
【先行技術文献】
【特許文献】
【０００４】
【特許文献１】特開２０００−１２６０２３号公報
【考案の概要】
【考案が解決しようとする課題】
【０００５】
しかしながら、上述した従来のハンガーでは、押さえバネ材の湾曲による弾性力によって掛止桟に対して押さえバネ材を押しつけることにより、掛止桟と押さえバネ材とによって衣類を挟み込んで把持するようになっている。ところが、従来の掛止桟は、その外径（太さ）が押さえバネ材の幅よりも小さいため、押さえバネ材を押しつけた際、掛止桟に引っ掛けた折り返し部分に掛止桟が食い込んで、衣類に痕が残ってしまうという問題があった。
【０００６】
そこで、本考案は、上記のような問題を解決するものであり、押さえバネ材と掛止桟とによって衣類を挟み込んで把持し、掛けた衣類がずり落ちないようにする機能を備えたハンガーにおいて、押さえバネ材による把持力を確実なものとしつつ、掛止桟に引っ掛けた折り返し部分に掛止桟が食い込んで、衣類に痕が残ってしまうのを防止できるハンガーを提供することを目的とする。
【課題を解決するための手段】
【０００７】
上記課題を解決するために、本考案は、衣類が掛けられて吊り下げられるハンガーであって、
掛けられた前記衣類を下方から支持するために水平に保持される棒状のロッド部と、
上部のフック部により懸架されるとともに、前記ロッド部の両端を一対の支持部材を介して保持するハンガー本体と、
前記ロッド部によって前記ロッド部の上方に、前記ロッド部の軸方向と平行となるように支持され、掛けられた前記衣類の幅に相当する長さを有する緩曲面部材と、
前記一対の支持部材によって前記緩曲面部材の上方において前記軸方向と平行になるように支持されるとともに、弾性体の復元力によって前記緩曲面部材の上面に押圧される把持部材と
を備え、
前記緩曲面部材の前記軸方向と直交する断面における水平方向の外径は、前記ロッド部の同水平方向の外径よりも大きく、前記緩曲面部材の表面の曲率は前記ロッド部の曲率よりも大きい
ことを特徴とする。
【０００８】
このような本考案によれば、掛止桟である棒状のロッド部の上方に緩曲面部材を取付けて、把持部材が、その弾性体の復元力によって緩曲面部材の上面に押しつけられて、掛止された衣類が把持される。このとき、緩曲面部材の外径（幅）がロッド部の外径（太さ）よりも大きく形成されていることから、衣類は緩曲面部材の上面に緩やかに引っ掛けられて、把持部材により押さえられるため、引っ掛けられた衣類の折り返し部分にロッド部が食い込んで、衣類に痕が残ってしまうのを防止できる。
【０００９】
上記考案において、緩曲面部材は、ロッド部の上方を覆う断面円弧状をなし、ロッド部に対して着脱可能とする着脱機構を備えていることが好ましい。この場合には、緩曲面部材をいわゆるかまぼこ形状の断面円弧状とし、ロッド部に対して着脱可能とすることにより、既存の押さえバネ付きのハンガーにも、本考案を適用することができる。なお、この着脱機構としては、前記ロッド部に嵌め込まれて係止されるクリップ式やスリットなどとすることができる。
【００１０】
上記考案において、前記ロッド部によって回転自在に軸支される筒状部材を備え、前記緩曲面部材は、前記筒状部材の外曲面であることを特徴とする。この場合には、ローラー式の筒状部材とすることで、引っ掛けられた衣類の折り返し部分にロッド部が食い込んで、衣類に痕が残ってしまうのを防止しつつ、筒状部材の回転により衣類の掛止をスムーズに行うことができる。
【００１１】
上記考案において、前記筒状部材は、外周面に前記ロッド部が挿通されるスリットが形成され、当該スリットに対して前記ロッド部を挿通させることにより、前記ロッド部から取り外し可能となっていることを特徴とする。この場合には、緩曲面部材をいわゆるローラー式の筒状部材とし、ロッド部に対して着脱可能とすることにより、既存の押さえバネ付きのハンガーにも、本考案を適用することができる。なお、この着脱機構としては、前記ロッド部が差し込まれて係止されるスリット式などとすることができる。
【００１２】
上記考案において、前記把持部材は前記軸方向に沿って弓状に湾曲されたバネ部材であり、前記バネ部材の下面は、前記緩曲面部材の上面形状の合致する形状をなしていることが好ましい。この場合には、把持部材を弓状に湾曲されたバネ部材とすることにより、その弾性力によって把持部材を緩曲面部材に押しつけるという簡単な構成により本考案を実現することができる。
【考案の効果】
【００１３】
以上述べたように、これらの考案によれば、把持部材と緩曲面部材とによって衣類を挟み込んで把持し、掛けた衣類がずり落ちないようにする機能を備えたハンガーにおいて、把持部材による把持力を確実なものとしつつ、緩曲面部材に引っ掛けた部分に痕が残ってしまうのを防止できる。
【図面の簡単な説明】
【００１４】
【図１】第１実施形態に係るハンガーの全体構成を正面から示す一部切欠図である。
【図２】第１実施形態に係るハンガーの全体構成を側面から示す一部切欠図である。
【図３】第１実施形態に係るハンガーのローラー部材の変更例を側面から示す断面図である。
【図４】第２実施形態に係るハンガーの全体構成を側面から示す一部切欠図である。
【考案を実施するための形態】
【００１５】
［第１実施形態］
（ハンガーの構成）
以下に添付図面を参照して、本考案に係るハンガーの実施形態を詳細に説明する。図１は本実施形態に係るハンガーの全体構成を正面から示す一部切欠図であり、図２は側面から示す一部切欠図である。  
図１及び図２に示すように、本実施形態に係るハンガーは、上着やズボン、スカートなどの衣類１２が掛けられて吊り下げられるハンガーであって、上部のフック部２により懸架されるハンガー本体１を有し、このハンガー本体１は、屈曲されたブーメラン形状をなし、上着の肩の部分を両翼に引き掛けることができる。このハンガー本体１には、掛止桟５の両端を一対の支持部材であるフック部７，７を介して保持するようになっている。
【００１６】
掛止桟５は、掛けられた衣類を下方から支持するために水平に保持される棒状のロッド部分を含み、その両端には上方に屈曲された一対の支持部材であるフック部７，７が形成されている。フック部７，７は、ハンガー本体１の下部に形成された嵌込孔３，３に引っ掛けられて、掛止桟５の両端を保持して掛止桟５を水平に保持する部材である。
【００１７】
また、掛止桟５によって、掛止桟５の上方に、ロッド部分の軸方向と平行となるように支持され、掛けられた衣類１２の幅に相当する長さを有する緩曲面部材であるローラー部材９を有している。このローラー部材９は、本実施形態では、掛止桟５によって回転自在に軸支される筒状部材であり、筒状部材の外曲面が緩曲面部材として機能する。特に、このローラー部材９の軸方向と直交する断面における水平方向の外径Ｗは、掛止桟５の同水平方向の外径ｄよりも大きくなるように設定され、その表面の曲率もローラー部材９の方が掛止桟５の上面部分よりも大きくなるように設定されている。なお、このローラー部材９の外表面には、ラバーや樹脂を貼り付けたり、凹凸などを形成したりして滑り止め加工が施されている。
【００１８】
なお、ローラー部材９には、例えば図３に示すように、外周面に掛止桟５が挿通されるスリット９ａを形成し、当該スリット９ａに対して掛止桟５を挿通させることにより、掛止桟５から取り外し可能としてもよい。本実施形態において、このスリット９ａの幅は掛止桟５の幅ｄよりも狭く形成されており、ローラー部材９を掛止桟５に取付ける際は、スリット９ａを広げて掛止桟５を挿通させ、ローラー部材９が回転しても掛止桟５から外れないようになっている。
【００１９】
また、ハンガー本体１には、フック部７，７，７によって把持部材８が取付けられている。具体的に把持部材８は、一対の支持部材であるフック部７，７，７によって、ローラー部材９の上方において軸方向と平行になるように支持されるとともに、弾性体の復元力によってローラー部材９の上面に押圧される。本実施形態においてローラー部材９は、軸方向に沿って弓状に湾曲されたバネ部材であり、バネ部材の下面は、ローラー部材９の上面形状の合致する形状をなしている。このように把持部材８を弓状に湾曲されたバネ部材とすることにより、その弾性力によって把持部材８がローラー部材９に押しつけられ、衣服１２が把持される。なお、この把持部材８の下面には、ラバーや樹脂を貼り付けたり、凹凸などを形成したりして滑り止め加工を施してもよい。
【００２０】
（作用・効果）
以上説明した本実施形態によれば、掛止桟である棒状の掛止桟５の上方にローラー部材９を取付けて、把持部材８が、その弾性体の復元力によってローラー部材９の上面に押しつけられて、掛止された衣服１２が把持される。このとき、ローラー部材９の外径Ｗが掛止桟５の外径ｄよりも大きく形成されていることから、衣服１２はローラー部材９の上面に緩やかに引っ掛けられて、把持部材８により押さえられるため、引っ掛けられた衣服１２の折り返し部分に掛止桟５が食い込んで、衣服１２に痕が残ってしまうのを防止できる。
【００２１】
本実施形態では、ローラー式のローラー部材９とすることで、引っ掛けられた衣類の折り返し部分に掛止桟が食い込んで、衣類に痕が残ってしまうのを防止しつつ、ローラー部材９の回転により衣類の掛止をスムーズに行うことができる。
【００２２】
また、把持部材８を弓状に湾曲されたバネ部材とすることにより、その弾性力によって把持部材を緩曲面部材に押しつけるという簡単な構成により衣類を容易に把持することができる。
【００２３】
［第２実施形態］
以下に添付図面を参照して、本考案に係るハンガーの第２実施形態を詳細に説明する。図４は、第２実施形態に係るハンガーの全体構成を側面から示す一部切欠図である。なお、本実施形態において、上述した実施形態と同一の構成要素には同一の符号を付し、その機能等は特に言及しない限り同一であり、その説明は省略する。
【００２４】
本実施形態においても、上述した第１実施形態と同様に、掛止桟５は、掛けられた衣類を下方から支持するために水平に保持される棒状のロッド部分を含み、その両端には上方に屈曲された一対の支持部材であるフック部７，７が形成されている。フック部７，７は、ハンガー本体１の下部に形成された嵌込孔３，３に引っ掛けられて、掛止桟５の両端を保持して掛止桟５を水平に保持する部材である。
【００２５】
また、掛止桟５によって、掛止桟５の上方に、ロッド部の軸方向と平行となるように支持され、掛けられた衣類１２の幅に相当する長さを有するカバー部材９１を有している。本実施形態では、緩曲面部材として、掛止桟５の上方を覆う断面円弧状のカバー部材９１を備えている。なお、このカバー部材９１の上面部分には、ラバーや樹脂を貼り付けたり、凹凸などを形成したりして滑り止め加工が施されている。さらに、このカバー部材９１は、掛止桟５に対して着脱可能とする着脱機構として係止部９２を備えている。このカバー部材９１は、緩曲面部材をいわゆるかまぼこ形状の断面円弧状とした部材である。また、係止部９２は、掛止桟５に嵌め込まれて係止されるクリップ式となっている。
【００２６】
このカバー部材９１は、本実施形態においても、このカバー部材９１の軸方向と直交する断面における水平方向の外径（幅）は、掛止桟５の同水平方向の外径ｄよりも大きくなるように設定され、その表面の曲率もカバー部材９１の方が掛止桟５の上面部分よりも大きくなるように設定されている。
【００２７】
ハンガー本体１には、フック部７，７によって把持部材８が取付けられている。具体的に把持部材８は、一対の支持部材であるフック部７，７によって、カバー部材９１の上方において軸方向と平行になるように支持されるとともに、弾性体の復元力によってカバー部材９１の上面に押圧される。本実施形態において把持部材８は、軸方向に沿って弓状に湾曲されたバネ部材であり、バネ部材の下面は、カバー部材９１の上面形状の合致する形状をなしている。このように把持部材８を弓状に湾曲されたバネ部材とすることにより、その弾性力によって把持部材８がカバー部材９１に押しつけられ、衣服１２が把持される。
【００２８】
（作用・効果）
以上説明した本実施形態によれば、掛止桟である棒状の掛止桟５の上方にカバー部材９１を取付けて、把持部材８が、その弾性体の復元力によってカバー部材９１の上面に押しつけられて、掛止された衣服１２が把持される。
【００２９】
このとき、カバー部材９１の外径Ｗが掛止桟５の外径ｄよりも大きく形成されていることから、衣服１２はカバー部材９１の上面に緩やかに引っ掛けられて、把持部材８により押さえられるため、引っ掛けられた衣服１２の折り返し部分に掛止桟５が食い込んで、衣服１２に痕が残ってしまうのを防止できる。特に、本実施形態では、カバー部材９１をいわゆるかまぼこ形状の断面円弧状とし、掛止桟５に対して着脱可能としており、既存の押さえバネ付きのハンガーにも本考案を適用することができるようになっている。
【００３０】
また、把持部材８を弓状に湾曲されたバネ部材とすることにより、その弾性力によって把持部材を緩曲面部材に押しつけるという簡単な構成により衣類を容易に把持することができる。
【００３１】
なお、上述した実施形態の説明は、本考案の一例である。このため、本考案は上述した実施形態に限定されることなく、本考案に係る技術的思想を逸脱しない範囲であれば、設計などに応じて種々の変更が可能である。
【符号の説明】
【００３２】
Ｗ…外径（緩曲面部材）
ｄ…外径（ロッド部）
１…ハンガー本体
２…フック部
３，３…嵌込孔
５…ロッド部
７，７…フック部
８…把持部材
９…ローラー部材
９ａ…スリット
１２…衣服
９１…カバー部材
９２…係止部
【図１】
0003206796.tif 000003
【図２】
0003206796.tif 000004
【図３】
0003206796.tif 000005
【図４】
0003206796.tif 000006